(57)【要約】【課題】清掃用基体の両清掃取付け部及び周側面を活用した合理的な改良により、清掃用基体に対する両清掃体の取り換えの容易化と外観意匠性の向上とを図りながら、両清掃体の装着維持力を高める。【解決手段】清掃用基体１の表裏の清掃取付け部１Ａの各々に、清掃取付け部１Ａの面積よりも大きな清掃体２が脱着自在に装着され、清掃用基体１の両清掃取付け部１Ａには、清掃取付け部１Ａに対応する中央側面ファスナ部３Ａと両清掃取付け部１Ａの外縁間に連続する周側面１Ｂの少なくとも一部を被覆する外縁側面ファスナ部３Ｂとを備えた第１面ファスナ３が貼着され、両清掃体２の被取付け面２ａの各々には、第１面ファスナ３の中央側面ファスナ部３Ａ及び外縁側面ファスナ部３Ｂに対して脱着自在に係合する第２面ファスナ４が貼着されている。【選択図】図４
2017077375.tif 000002
【特許請求の範囲】
【請求項１】
清掃用基体の表裏の清掃取付け部の各々に、当該清掃取付け部の面積よりも大きな清掃体が脱着自在に装着されている清掃具であって、
前記清掃用基体の両清掃取付け部には、当該清掃取付け部に対応する中央側面ファスナ部と前記両清掃取付け部の外縁間に連続する周側面の少なくとも一部を被覆する外縁側面ファスナ部とを備えた第１面ファスナが貼着され、前記両清掃体の被取付け面の各々には、前記第１面ファスナの中央側面ファスナ部及び前記外縁側面ファスナ部に対して脱着自在に係合する第２面ファスナが貼着されている清掃具。
【請求項２】
前記第１面ファスナの前記外縁側面ファスナ部の外縁が、前記両清掃体の前記第２面ファスナの外縁よりも内方に配置され、前記第１面ファスナの前記外縁側面ファスナ部の外縁よりも外方に位置する前記第２面ファスナの外縁部分が把持用の指掛け部に構成されている請求項１記載の清掃具。
【請求項３】
前記第１面ファスナの前記外縁側面ファスナ部には、少なくとも前記清掃用基体の周側面における前面側を被覆する外縁前面側面ファスナ部と、左右の側面側を被覆する外縁横面側面ファスナ部とが備えられている請求項１又は２記載の清掃具。
【請求項４】
前記清掃用基体における前記両清掃取付け部の少なくとも前記周側面を含む周縁部が周縁側ほど薄肉となる先窄まり形状に形成されている請求項１〜３のいずれか１項に記載の清掃具。
【請求項５】
前記清掃用基体には、操作部の柄を左右方向の軸芯周りで揺動自在に枢支する柄取付け部と、当該柄取付け部に枢支された前記柄が前記清掃用基体の表裏側に通過揺動自在な切欠き部とが形成されているとともに、前記清掃用基体の前記両清掃取付け部における前記切欠き部の縁部には、前記第１面ファスナに対する位置決め用の突起部が形成されている請求項１〜４のいずれか１項に記載の清掃具。
【請求項６】
前記清掃用基体の一方の前記清掃取付け部に貼着される一方の前記第１面ファスナの前記中央側ファスナ部と、前記清掃用基体の他方の前記清掃取付け部に貼着される他方の前記第１面ファスナの前記中央側面ファスナ部とが、前記両外縁側面ファスナのうち、前記清掃用基体の周側面の前面側を被覆する外縁前面側面ファスナ部で一体形成されている請求項１〜５のいずれか１項に記載の清掃具。
【発明の詳細な説明】
【技術分野】
【０００１】
本発明は、浴室内の浴槽や床、壁或いはトイレ等の被清掃面の清掃に用いられる清掃具で、詳しくは、清掃用基体の表裏の清掃取付け部の各々に、当該清掃取付け部の面積よりも大きなスポンジ等の清掃体が脱着自在に装着されている清掃具に関する。
【背景技術】
【０００２】
この種の清掃具では、清掃用基体の表裏の清掃取付け部に装着された清掃体の選択使用により被清掃面を効率良く清掃することができるとともに、表裏の一方の清掃体が他方の清掃体よりも早期に劣化しても、この劣化した一方の清掃体のみの交換で対応することができる利点がある。
【０００３】
そして、例えば、下記特許文献１の第２実施形態（図４、図５参照）に示す従来の清掃具では、清掃用基体の表裏の全面が、両清掃体の被取付け面を取付けるための清掃取付け部に構成されている。
両清掃体は、清掃用基体の表裏の清掃取付け部の面積よりも大きな面積に形成され、両清掃体が清掃用基体の両清掃取付け部に装着された状態では、両清掃体の外縁部分が清掃用基体の両清掃取付け部の外縁よりも外方に突出位置し、一般に、両清掃体よりも硬質に構成される清掃用基体の外縁が清掃対象箇所のタイル等の他物に直接的に当接することを抑制している。
また、両清掃体の被取付け面の各々には、当該被取付け面と同一形状に形成された互いに脱着自在に係合可能な面ファスナが接着剤等で貼着されている。
そのため、清掃用基体の表裏の清掃取付け部に対して両清掃体をそれの面ファスナ同士が対面する状態で接合したとき、両清掃体の面ファスナのうち、清掃用基体の両清掃取付け部の外縁から外方に突出する外縁側面ファスナ部同士が係合し、両清掃体が清掃用基体の両清掃取付け部を挟み込む状態で装着保持されている。
さらに、清掃用基体の中央部の二か所には貫通孔が形成され、両清掃体の面ファスナの中央側面ファスナ部のうち、各貫通孔を通して対面する中央側面ファスナ部の一部分同士が係合し、その係合力を清掃用基体の両清掃取付け部に対する両清掃体の装着保持力として活用している。
【先行技術文献】
【特許文献】
【０００４】
【特許文献１】特開２０１１−１１５２８６号公報  図４、図５
【発明の概要】
【発明が解決しようとする課題】
【０００５】
上述の清掃具では、両清掃体の被取付け面の各々に貼着されている面ファスナのうち、清掃用基体の両清掃取付け部の外縁から外方に突出する外縁側面ファスナ部同士の係合力と、清掃用基体の貫通孔を通して対面する中央側面ファスナ部の一部分同士の係合力とによって、両清掃体が清掃用基体の両清掃取付け部に挟み込み状態で装着保持されている。
しかし、両清掃体の被取付け面の各々に貼着されている面ファスナのうち、清掃用基体の清掃取付け部に対応する中央側面ファスナ部は比較的大きな面積を占めるが、この中央側面ファスナ部のうち、清掃用基体の貫通孔に対応する一部分の面ファスナ部分しか係合に使用されておらず、両清掃体の装着維持力としては充分ではない。
しかも、清掃用基体と両清掃体の面ファスナとは、両面ファスナの係合境界層に沿って相対移動が可能であるため、清掃作業時において、清掃用基体の表裏に位置する一方又は両方の清掃体が清掃対象面に存在する他物に衝突すると、両清掃体の面ファスナの係合境界層に沿って清掃用基体が分断方向（剪断方向）に移動して、両清掃体の面ファスナの係合が解除される不都合がある。
【０００６】
本発明は、上述の実状に鑑みて為されたものであって、その主たる課題は、清掃用基体の両清掃取付け部及び周側面を活用した合理的な改良により、清掃用基体に対する両清掃体の取り換えの容易化と外観意匠性の向上とを図りながら、両清掃体の装着維持力を増強することのできる清掃具を提供する点にある。
【課題を解決するための手段】
【０００７】
本発明による第１の特徴構成は、清掃用基体の表裏の清掃取付け部の各々に、当該清掃取付け部の面積よりも大きな清掃体が脱着自在に装着されている清掃具であって、
前記清掃用基体の両清掃取付け部には、当該清掃取付け部に対応する中央側面ファスナ部と前記両清掃取付け部の外縁間に連続する周側面の少なくとも一部を被覆する外縁側面ファスナ部とを備えた第１面ファスナが貼着され、前記両清掃体の被取付け面の各々には、前記第１面ファスナの中央側面ファスナ部及び前記外縁側面ファスナ部に対して脱着自在に係合する第２面ファスナが貼着されている点にある。
【０００８】
上記構成によれば、清掃用基体の両清掃取付け部の各々に第１面ファスナを貼着し、両清掃体の被取付け面の各々に第２面ファスナを貼着することにより、清掃作業時において、清掃用基体の表裏に位置する一方又は両方の清掃体が清掃対象面に存在する他物に衝突したときでも、従来のように、両面ファスナの係合境界層に沿って清掃用基体が分断方向（剪断方向）に移動することがない。
しかも、第１面ファスナは、清掃用基体の最も表面積の大きな両清掃取付け部のみならず、両清掃取付け部の外縁間に連続する周側面の少なくとも一部を被覆する状態で設けられているため、第１面ファスナ自体の係合面積を増加することができる。
他方、第２面ファスナにおいても、第１面ファスナの中央側面ファスナ部及び外縁側面ファスナ部に対して脱着自在に係合するため、第２面ファスナ自体の係合面積も増加することができるので、清掃用基体の第１面ファスナと両清掃体の第２面ファスナとの係合による両清掃体の装着維持力を増大することができる。
さらに、両清掃体の第２面ファスナの外縁側面ファスナ部が清掃用基体の両第１面ファスナの外縁側面ファスナ部に係合すると、両第１面ファスナの外縁側面ファスナ部に対して両第２面ファスナの外縁側面ファスナ部が引き寄せられた状態で係合保持されるため、両清掃体間を通して清掃用基体の周側面が外部に露出することを抑制することができる。しかも、清掃用基体の表裏に位置する一方又は両方の清掃体が清掃対象面に存在する他物に衝突したとき、清掃体の衝突部位の変形に伴って係合状態にある第１面ファスナの外縁側面ファスナ部と第２面ファスナの外縁側面ファスナ部とが追従して一体的に撓み変形するため、両第２面ファスナが第１面ファスナから剥離することを抑制することができる。
したがって、清掃用基体側の両清掃取付け部及び周側面を活用した第１面ファスナ及び第２面ファスナの合理的な改良により、清掃用基体に対する両清掃体の取り換えの容易化と外観意匠性の向上とを図りながら、両清掃体の装着維持力を増強することができる。
【０００９】
本発明による第２の特徴構成は、前記第１面ファスナの前記外縁側面ファスナ部の外縁が、前記両清掃体の前記第２面ファスナの外縁よりも内方に配置され、前記第１面ファスナの前記外縁側面ファスナ部の外縁よりも外方に位置する前記両清掃体の前記第２面ファスナの外縁部分が把持用の指掛け部に構成されている点にある。
【００１０】
例えば、第１面ファスナの外縁側面ファスナ部の外縁と両清掃体の第２面ファスナの外縁とが同一に構成されている場合では、表裏の一方の清掃体を交換する必要が生じたとき、両面ファスナの係合境界層間に指先を簡単に差し入れることができない。そのため、両清掃体の中間層を把持して剥離操作することになるが、このとき。スポンジ等の柔軟な材質で構成されている両清掃体の中間層が破断する可能性がある。
【００１１】
しかし、本発明では、表裏の一方の清掃体を交換する必要が生じたとき、第１面ファスナの外縁よりも外方に位置する両清掃体の第２面ファスナの外縁部分を把持用の指掛け部に使用して簡単、容易に摘み操作することができるので、両清掃体の中間層を把持して無理やりに剥離操作する必要がなく、両清掃体の中間層がスポンジ等の柔軟な材質で構成されている場合でも、両清掃体の中間層の破損を抑制した状態で、両清掃体の第２面ファスナを清掃用基体側の第１面ファスナから簡単に剥離することができる。
【００１２】
本発明による第３の特徴構成は、前記第１面ファスナの前記外縁側面ファスナ部には、少なくとも前記清掃用基体の周側面における前面側を被覆する外縁前面側面ファスナ部と、左右の側面側を被覆する外縁横面側面ファスナ部とが備えられている点にある。
【００１３】
上記構成によれば、第１面ファスナの外縁側面ファスナ部を構成する外縁前面側面ファスナ部及び外縁横面側面ファスナ部に第２面ファスナの外縁部分が係合することにより、第１面ファスナと第２面ファスナとの係合力が増加するばかりでなく、第２面ファスナの外縁部分が、前面側及び左右の側面側において第１面ファスナの外縁側面ファスナ部に引き寄せられた状態で係合するため、両第２面ファスナの外縁部分が清掃用基体側の第１面ファスナの外縁側面ファスナ部から剥離することを良好に抑制することができる。
【００１４】
本発明による第４の特徴構成は、前記清掃用基体における前記両清掃取付け部の少なくとも前記周側面を含む周縁部が周縁側ほど薄肉となる先窄まり形状に形成されている点にある。
【００１５】
上記構成によれば、両清掃体の第２面ファスナの外縁部分が、第１面ファスナにおける清掃用基体の先窄まり形状の周縁部に対応する外縁側部分に係合すると、表裏の両第２面ファスナの外縁側部分同士が周縁部の先窄まり形状に沿って互いに引き寄せられた傾斜状態で係合するため、両清掃体間を通して清掃用基体が外部に露出することを良好に抑制することができるばかりでなく、両第２面ファスナの外縁部分が清掃用基体側の第１面ファスナの外縁側面ファスナ部から剥離することを一層良好に抑制することができる。
【００１６】
本発明による第５の特徴構成は、前記清掃用基体には、操作部の柄を左右方向の軸芯周りで揺動自在に枢支する柄取付け部と、当該柄取付け部に枢支された前記柄が前記清掃用基体の表裏側に通過揺動自在な切欠き部とが形成されているとともに、前記清掃用基体の前記両清掃取付け部における前記切欠き部の縁部には、前記第１面ファスナに対する位置決め用の突起部が形成されている点にある。
【００１７】
上記構成によれば、清掃用基体の表裏の清掃取付け部に装着された清掃体を選択使用する場合、清掃用基体の柄取付け部に枢支された操作部の柄を、清掃用基体に形成されている切欠き部を通過する状態で表裏に反転揺動操作するだけで済む。
しかも、清掃用基体の両清掃取付け部における切欠き部の縁部には、第１面ファスナに対する位置決め用の突起部が形成されているので、第１面ファスナの取付け作業を確実、容易に行うことができるとともに、第１面ファスナの一部が切欠き部内に入り込むことに起因する操作抵抗の増大及びそれに伴う操作性の低下を抑制することができる。
【００１８】
本発明による第６の特徴構成は、前記清掃用基体の一方の前記清掃取付け部に貼着される一方の前記第１面ファスナの前記中央側ファスナ部と、前記清掃用基体の他方の前記清掃取付け部に貼着される他方の前記第１面ファスナの前記中央側面ファスナ部とが、前記両外縁側面ファスナのうち、前記清掃用基体の周側面の前面側を被覆する外縁前面側面ファスナ部で一体形成されている点にある。
【００１９】
上記構成によれば、清掃用基体の両清掃取付け部に第１面ファスナを貼着する場合、一方の中央側面ファスナ部と他方の中央側面ファスナ部とを一体形成する両外縁前面側面ファスナ部を、清掃用基体の周側面の前面側に位置合わせして、この状態で両中央側面ファスナ部を清掃用基体の両清掃取付け部側に折り返すことにより、各両中央面ファスナ部をそれに対応する清掃用基体の清掃取付け部に簡単に貼着することができる。
【図面の簡単な説明】
【００２０】
【図１】本発明の第１実施形態のバスクリーナの全体斜視図
【図２】バスクリーナのグリップ軸線方向での断面図
【図３】バスクリーナの清掃部での分解斜視図
【図４】バスクリーナの清掃部での分解斜視図
【図５】バスクリーナの清掃部の平面図
【図６】図５におけるＶＩ−ＶＩ線拡大断面図
【図７】図５におけるＶＩＩ−ＶＩＩ線拡大断面図
【図８】清掃用基体の平面図
【図９】清掃用基体の側面図
【図１０】清掃用基体の正面図
【発明を実施するための形態】
【００２１】
〔第１実施形態〕
図１は、清掃具の一例である両面洗浄式のバスクリーナを示す。このバスクリーナは、図１、図２に示すように、板状の清掃用基体１の表裏の清掃取付け部１Ａの各々に、当該清掃取付け部１Ａの面積よりも大きな清掃体２を脱着自在に装着してなる洗浄用の清掃部Ｃと、この清掃部Ｃの清掃用基体１に対して操作部Ｈの柄Ｈ１を起伏揺動自在に取付けるための柄取付け部Ｍと、この柄取付け部Ｍの柄接続筒体２０に対して脱着自在に取付けられる伸縮調節自在な柄Ｈ１を備えた操作部Ｈとの三つの主要部から構成されている。
【００２２】
清掃部Ｃは、図１〜図７に示すように、合成樹脂製の薄板状の清掃用基体１の表裏面全体が清掃取付け部１Ａに構成され、この表裏の清掃取付け部１Ａには、清掃用基体１における両清掃取付け部１Ａの外縁間に連続する周側面１Ｂの少なくとも一部を被覆する状態で雄型の第１面ファスナ３が接着剤や熱融着等により貼着されている。
第１面ファスナ３は、図３、図４に示すように、清掃用基体１の両清掃取付け部１Ａに対応する中央側面ファスナ部３Ａと、清掃用基体１の周側面１Ｂの少なくとも一部を覆い、且つ、両清掃取付け部１Ａの外縁よりも外方側に張り出す外縁側面ファスナ部３Ｂとからなる。
第１面ファスナ３の外縁側面ファスナ部３Ｂは、図３、図４に示すように、清掃用基体１の周側面１Ｂにおける左右方向に沿って略一直線状の前端面１Ｂａ側を被覆する外縁前面側面ファスナ部３Ｂａと、周側面１Ｂにおけるやや後方窄まりの左右の側端面１Ｂｂ側を被覆する外縁横面側面ファスナ部３Ｂｂと、前記周側面１Ｂにおける略半円弧状の後端面１Ｂｃ側を被覆する外縁後面側面ファスナ部３Ｂｃとから構成されている。
【００２３】
さらに、図４に示すように、清掃用基体１の一方の清掃取付け部１Ａに貼着される一方の第１面ファスナ３の中央側面ファスナ部３Ａと、清掃用基体１の他方の清掃取付け部１Ａに貼着される他方の第１面ファスナ３の中央側面ファスナ部３Ａとが、両外縁側面ファスナ部３Ｂのうち、清掃用基体１の周側面１Ｂの前端面１Ｂａ側を被覆する両外縁前面側面ファスナ部３Ｂａで一体的に連続形成されている。
そのため、清掃用基体１の両清掃取付け部１Ａに第１面ファスナ３を貼着する場合、一方の中央側面ファスナ部３Ａと他方の中央側面ファスナ部３Ａとを一体形成する両外縁前面側面ファスナ部３Ｂａの境界線部位を、清掃用基体１の周側面１Ｂの前端面１Ｂａ側に位置合わせし、この状態で両中央側面ファスナ部３Ａを清掃用基体１の両清掃取付け部１Ａ側に折り返すことにより、図３に示すように、各中央側面ファスナ部３Ａをそれに対応する清掃用基体１の清掃取付け部１Ａに簡単、確実に貼着することができる。
【００２４】
第１面ファスナ３は、ナイロン、ポリエチレン、ポリプロピレン等の熱可塑性合成樹脂を用いて、可撓性の基材の一側面に、先端部が鉤状、矢尻状又はマッシュルーム状に形成されている多数の係合素子群を略直立姿勢で一体成形して構成されている。
【００２５】
両清掃体２の被取付け面２ａ（図６参照）の各々には、清掃用基体１の表裏の第１面ファスナ３における中央側面ファスナ部３Ａ及び外縁側面ファスナ部３Ｂに対して脱着自在に係合する雌型の第２面ファスナ４が接着剤や熱融着等により貼着されているとともに、表裏の両第２面ファスナ４の各々は、清掃体２の被取付け面２ａの輪郭形状と同一形状に構成されている。
各第２面ファスナ４は、第１面ファスナ３の中央側面ファスナ部３Ａの全域に脱着自在に係合する中央側ファスナ部４Ａと、第１面ファスナ３の外縁側面ファスナ部３Ｂの全域に脱着自在に係合する外縁側面ファスナ部４Ｂとから構成されている。
また、両第２面ファスナ４の各々は、ナイロン、ポリエステル、ポリプロピレンなどの熱可塑性合成樹脂の合成繊維フィラメント糸（マルチフィラメント糸やモノフィラメント糸）からなる立毛繊維群を地組織部の一側面に起立状態で形成し、且つ、合成繊維フィラメント糸に第１面ファスナ３の係合素子群と係合するループ状やアーチ状等の係合部を形成してある不織布から構成されている。
【００２６】
そして、図６、図７に示すように、清掃用基体１の表裏の第１面ファスナ３における中央側面ファスナ部３Ａに対して両第２面ファスナ４の中央側ファスナ部４Ａが係合し、且つ、両第１面ファスナ３の外縁側面ファスナ部３Ｂに対して両第２面ファスナ４の外縁側面ファスナ部４Ｂが係合することにより、第１面ファスナ３と第２面ファスナ４との係合面積の拡大によって両清掃体２の装着維持力を増大することができる。
また、清掃（洗浄）作業時において、清掃用基体１の表裏に位置する一方の清掃体２が清掃（洗浄）対象面に存在する他物に衝突したときでも、従来のように、両面ファスナ３，４の係合境界層に沿って清掃用基体１が分断方向（剪断方向）に移動することがなく、清掃体２の装着維持力を増大することができる。
【００２７】
さらに、両清掃体２の各第２面ファスナ４の外縁側面ファスナ部４Ｂの全体が、清掃用基体１の表裏の第１面ファスナ３の外縁側面ファスナ部３Ｂ側に引き寄せられた状態で係合するため、両清掃体２間を通して清掃用基体１の周側面１Ｂが外部に露出することを抑制することができる。しかも、清掃用基体１の表裏に位置する一方の清掃体２が清掃（洗浄）対象面に存在する他物に衝突したとき、一方の清掃体２における衝突部位の変形に伴って係合状態にある第１面ファスナ３の外縁側面ファスナ部３Ｂと第２面ファスナ４の外縁側面ファスナ部４Ｂとが追従して一体的に撓み変形するため、両第２面ファスナ４が第１面ファスナ３から剥離することを抑制することができる。
【００２８】
また、図５〜図７に示すように、清掃用基体１の第１面ファスナ３における外縁側面ファスナ部３Ｂの輪郭形状全周の外縁が、両清掃体２の第２面ファスナ４における外縁側面ファスナ部４Ｂの輪郭形状の全周の外縁よりも内方に配置され、外縁側面ファスナ部３Ｂの全周の外縁よりも外方に位置する第２面ファスナ４の全周の外縁部分４ａが把持用の指掛け部５に構成されている。
そして、表裏の一方の清掃体２を交換する必要が生じたとき、把持用の指掛け部５に指を掛けることで、清掃体２を簡単、容易に摘み操作することができる。それ故に、従来のように、両清掃体２の中間層を把持して無理やりに剥離操作する必要性がなく、例え、両清掃体２の中間層がスポンジ等の柔軟な材質で構成されている場合でも、両清掃体２の中間層の破損を抑制した状態でスムーズに剥離することができる。
【００２９】
図８〜図１０に示すように、清掃用基体１における両清掃取付け部１Ａの周縁部１ａは、周縁側ほど薄肉となる先窄まりのテーパー形状に形成され、そのテーパー形状の周縁部１ａの外縁間に連続する周側面１Ｂは、横断面形状が円弧状の曲面に形成されている。
そのため、両清掃体２の第２面ファスナ４の外縁側面ファスナ部４Ｂが、第１面ファスナ３の外縁側面ファスナ部３Ｂに係合すると、清掃用基体１の表裏に貼着されている両第１面ファスナ３の外縁側面ファスナ部３Ｂに対して、両第２面ファスナ４の外縁側面ファスナ部４Ｂが、清掃用基体１の周縁部１ａのテーパー形状に沿って引き寄せられた傾斜状態で係合する。これにより、両清掃体２間を通して清掃用基体１の周側面１Ｂが外部に露出することをより抑制することができ、且つ、両第２面ファスナ４が第１面ファスナ３から剥離することをより良好に抑制することができる。
【００３０】
図２、図４、図８〜図１０に示すように、清掃用基体１の左右方向中央部における後方側部位には、柄取付け部Ｍの柄接続筒体２０を左右方向の横軸芯Ｘ周りで揺動自在に枢支する左右一対の柄取付け部２１と、当該柄取付け部２１に枢支された柄接続筒体２０が清掃用基体１の表裏側に通過揺動自在で、且つ、清掃用基体１の略半円弧状の後端面１Ｂｃの左右中央位置において開口する切欠き部６とが形成されているとともに、清掃用基体１の両清掃取付け部１Ａにおける切欠き部６の開口縁部には、第１面ファスナ３に対する位置決め用の突起部７が形成されている。
この突起部７は、清掃用基体１の切欠き部６の開口縁部のうち、両柄取付け部２１よりも後方側の直線状開口縁部に沿って形成される左右一対の第１位置決めリブ７ａと、両柄取付け部２１よりも前方側のコの字状開口縁部に沿って形成される第２位置決めリブ７ｂとから構成されている。
【００３１】
また、図１〜図４に示すように、両第１面ファスナ３と両第２面ファスナ４及び両清掃体２にも、柄取付け部２１に枢支された柄接続筒体２０の表裏側への通過揺動を許容する切欠き部８，９，１０が形成され、両第１面ファスナ３の切欠き部８の開口縁部には、清掃用基体１の両柄取付け部２１の外面側が入り込む凹部１１が形成されている。
【００３２】
そして、清掃用基体１の表裏の清掃取付け部１Ａに装着された清掃体２を選択使用する場合、清掃用基体１の柄取付け部２１に枢支された操作部Ｈの柄Ｈ１を、清掃用基体１の切欠き部６と両清掃体２の切欠き部１０及び両第２面ファスナ４の切欠き部９を通過する状態で表裏に反転揺動操作するだけで済む。
しかも、清掃用基体１の両清掃取付け部１Ａにおける切欠き部６の開口縁部には、第１面ファスナ３に対する位置決め用の突起部７が形成されているので、第１面ファスナ３の取付けを確実、容易に行うことができるとともに、第１面ファスナ３の一部が切欠き部６内に入り込むことに起因する柄接続筒体２０の揺動操作抵抗の増加、及び、それに伴う操作部Ｈの操作性の低下を抑制することができる。
【００３３】
両清掃体２の各々は清掃（洗浄）用スポンジから構成されている。清掃（洗浄）用スポンジとしても、従来から種々の形態のものが開発され、その何れの形態の清掃（洗浄）用スポンジも好適に用いることができる。
当該実施形態で用いられる清掃（洗浄）用スポンジは、図１〜図４に示すように、ウレタンフォーム製のスポンジ（連続気泡を備えた弾性発泡体の一例）からなる立方体状の清掃（洗浄）本体（タワシ本体）２Ａの一側面の全域に、合成繊維フィラメント糸からなる清掃（洗浄）用の立毛繊維群が地組織部の表裏面の一側面に起立状態で備えられている清掃（洗浄）用布帛２Ｂが接着剤や熱融着等により貼着されている。
また、清掃（洗浄）本体２Ａの他側面の被取付け面２ａには、雌型の第２面ファスナ４が接着剤や熱融着等により貼着されている。
当該実施形態においては、表裏の両清掃体２として清掃（洗浄）性能（清掃（洗浄）機能）の異なるものが使用されている。具体的には、一方の清掃体２においては、立毛繊維群を構成する合成繊維フィラメント糸が細繊度のポリエステルフィラメント糸から構成されている。他方の清掃体２においては、立毛繊維群を構成する合成繊維フィラメント糸が太繊度のナイロンフィラメント糸と細繊度のポリエステルフィラメント糸との混合から構成されている。
そして、ヤング率の高いポリエステルフィラメント糸を細繊度とすることにより、洗浄・清掃対象面に存在する無数の微小な凹部内の微細な汚れを除去するに適した腰・反発性を得ることができる。また、ヤング率の低いナイロンフィラメント糸を太繊度とすることにより、表面にこびりついた汚れの掻き落としに適した腰・反発性を得ることができる。
【００３４】
次に、柄取付け部Ｍについて説明する。
図１〜図４に示すように、柄接続筒体２０の前端部は、清掃用基体１の両柄取付け部２１間に入り込み配置可能な二股脚部２０Ａに形成され、この柄接続筒体２０の二股脚部２０Ａの外面には、両柄取付け部２１の相対向面に一体的に突出形成された円形の揺動支点軸部２２に対して左右方向の内方側から横軸芯Ｘ周りで回動自在に嵌合する円筒状の枢支軸孔部２３が窪み形成されている。
両揺動支点軸部２２の先端面における左右方向での対向間隔は、柄接続筒体２０の二股脚部２０Ａに形成される両枢支軸孔部２３の左右方向での外面間隔よりも小に構成され、自然状態では、両揺動支点軸部２２が両枢支軸孔部２３に横軸芯Ｘ周りで回動自在に嵌合維持されている。
また、柄接続筒体２０の二股脚部２０Ａをスリット２４の幅内で小幅側に弾性復元力に抗して挟み操作することにより、二股脚部２０Ａの両枢支軸孔部２３を両柄取付け部２１から離脱させることができる。
柄接続筒体２０の二股脚部２０Ａのスリット２４には、二股脚部２０Ａの小幅側への撓み変形を阻止する略Ｕ字状の離脱阻止部材２５が脱着自在に嵌着されている。
【００３５】
次に、操作部Ｈについて説明する。
操作部Ｈは、図１、図２に示すように、柄軸線方向から摺動状態で伸縮自在に嵌合接続可能な２本のアルミニウム製のパイプ柄３０，３１を備えた柄Ｈ１と、大径側のパイプ柄３１の後端部に外嵌状態で固着される合成樹脂製のグリップＨ２と、両パイプ柄３０，３１間に内装され、且つ、柄軸線方向の任意の伸縮操作位置で両パイプ柄３０，３１を締め付け固定する伸縮固定機構Ｈ３とから構成されている。
【００３６】
尚、小径側のパイプ柄３０の前端部は、図２に示すように、柄取付け部Ｍの柄接続筒体２０に水密状態で内嵌し、且つ、接着剤等で固着されている。そのため、浴室の天井や壁など、グリップＨ２の把持位置よりも高所の被清掃（被洗浄）面を清掃（洗浄）する場合でも、小径側のパイプ柄３０の外周面と柄接続筒体２０の内周面との間を経由して柄Ｈ１内に清掃（洗浄）液等が浸入することはない。
また、大径側のパイプ柄３１の前端部には、伸縮固定機構Ｈ３の第２ストッパー部材６１との当接により、大径側のパイプ柄３１に対する小径側のパイプ柄３０の抜け出し移動を阻止する伸縮ガイド部材３２が固着されている。
【００３７】
次に、操作部ＨのグリップＨ２について説明する。
図１、図２に示すように、グリップＨ２の前端部の内面と大径側のパイプ柄３１の後端部の外面との間には、柄Ｈ１に沿って流動する清掃（洗浄）液をグリップＨ２内に流入させる流入口４０が形成されているとともに、グリップＨ２の後端部には、グリップＨ２内の清掃（洗浄）液を外部に排出する排出口４１が形成されている。
グリップＨ２は、小径側のパイプ柄３０の後端部に接着、圧入等の適宜固着手段で外嵌固定される合成樹脂製のグリップ本体４２と、当該グリップ本体４２に外嵌される合成樹脂製の把持筒体４３、及び、グリップ本体４２の後端部に嵌合装着され、且つ、吊下げ掛止孔４４を形成してある合成樹脂製のキャップ４５とから構成されている。
【００３８】
グリップ本体４２と把持筒体４３との嵌合部位は、それの全周に亘って略三角形状の山部と谷部とが交互に位置する波形状に湾曲形成された波形周壁部４２Ａ，４３Ａから構成されている。波形周壁部４２Ａ，４３Ａのうち、周方向に所定ピッチで径方向内方側に突出する谷部４３ａ及び径方向外方側に突出する山部４３ｂは、グリップ軸芯方向から相対回転不能な状態で嵌合されている。
【００３９】
そして、グリップ本体４２の波形周壁部４２Ａの内面における複数の谷部の先端部位が、グリップ本体４２内に挿入された大径側のパイプ柄３１の後端部の外面を同心状態で支持する支持部に構成され、大径側のパイプ柄３１の後端部の外面とグリップ本体４２の内面との対向面間で、且つ、波形周壁部４２Ａの複数の谷部における周方向での隣接間、換言すれば、山部の形成相当部位に、流入口４０からグリップ本体４２内に流入した清掃（洗浄）液を排出口４１側に流動案内する横断面形状が略三角形状の清掃（洗浄）液用排出流路４７が形成されている。
【００４０】
把持筒体４３の波形周壁部４３Ａの外周面においては、図１に示すように、周方向に所定ピッチで径方向内方側に突出する谷部４３ａと、周方向に所定ピッチで径方向外方側に突出する山部４３ｂとが周方向で交互に配置されているため、この複数の谷部４３ａと山部４３ｂとによる凹凸条をもってグリップＨ２の滑り止め部が構成されている。
【００４１】
上述のように、グリップＨ２自体を、大径側のパイプ柄３１の後端部に外嵌固定されるグリップ本体４２と、当該グリップ本体４２に外嵌される把持筒体４３との二重構造に構成し、且つ、グリップ本体４２と把持筒体４３との嵌合部位に設けられる回り止め部の構成要素として、周方向の複数部位においてグリップ軸線方向に沿って少なくとも径方向内方側に突出する谷部を形成することにより、大径側のパイプ柄３１とグリップ本体４２との嵌合構造の機械強度を向上することができる。
しかも、大径側のパイプ柄３１の後端部に外嵌固定されるグリップ本体４２に対して把持筒体４３をグリップ軸線方向から嵌合操作したのち、グリップ本体４２の後端部にキャップ４５を嵌合装着するだけで組付けることができるので、組付けの容易化を図りながら把持筒体４３の不要な回動を確実に阻止することができる。
【００４２】
また、グリップ本体４２の前端部には、清掃部Ｃ側ほど大径側のパイプ柄３１の外面から離間する先広がりの流入ガイド部４８が一体形成され、この流入ガイド部４８の外周面の基端部には、グリップ本体４２に外嵌された把持筒体４３の前端４３ｃとグリップ軸線方向から当接する第１位置決め部４９が形成されている。
上述のように、グリップ本体４２の前端部に形成した先広がりの流入ガイド部４８により、清掃部Ｃから柄Ｈ１に沿って流下してくる清掃（洗浄）液を効率良くグリップ本体４２内に流入案内することができるとともに、流入ガイド部４８の基端側の立ち上がり部分を利用して、グリップ本体４２に外嵌された把持筒体４３の前端４３ｃに対する第１位置決め部４９を簡単に形成することができる。
【００４３】
さらに、グリップ本体４２の内周面の後端部には、当該グリップ本体４２の後端開口４２ｃから挿入されたキャップ４５の係合爪４５Ａが係合する係合筒部５２が一体形成されている。キャップ４５の係合爪４５Ａの周方向複数個所には、係合爪４５Ａの弾性復元力に抗しての縮径側への撓み変形を許容するスリット５４が形成されている。
【００４４】
キャップ４５には、グリップ本体４２の内部空間Ｓとキャップ４５の吊下げ掛止孔４４とを連通する外部排出流路５５が形成され、外部排出流路５５の吊下げ掛止孔４４側の開口が上述の排出口４１に構成されている。
キャップ４５には、グリップ本体４２に外嵌された把持筒体４３の後端４３ｄとグリップ軸線方向から当接する第２位置決め部５６が形成されている。
【００４５】
そして、グリップ本体４２の後端部に装着されたキャップ４５の吊下げ掛止孔４４で壁等の吊下げフックに吊下げ掛止することができるばかりでなく、グリップ本体４２の内部空間Ｓ内に流入した清掃（洗浄）液がキャップ４５の外部排出流路５５を経由してキャップ４５の吊下げ掛止孔４４内に排出される際、キャップ４５のうち、外部排出流路５５の排出口４１に吊下げ掛止孔４４を介して対面する掛止構成部４５Ｂに清掃（洗浄）液が接触して、当該掛止構成部４５Ｂに沿って清掃（洗浄）液を流下案内することができる。
また、グリップ本体４２を利用して、グリップ本体４２に外装された把持筒体４３の後端４３ｄに対する第２位置決め部５６を簡単に形成することができる。
【００４６】
次に、伸縮固定機構Ｈ３について説明する。
この伸縮固定機構Ｈ３は、図２に示すように、小径側のパイプ柄３０の後端部に一体移動状態で固着される合成樹脂製の第１ストッパー部材６０と、大径側のパイプ柄３１の内周面に摺接する状態で第１ストッパー部材６０に係合保持され、且つ、第１ストッパー部材６０との相対回動操作に伴って大径側のパイプ柄３１を伸縮固定するための摩擦力を付与する合成樹脂製の第２ストッパー部材６１とから構成されている。
【００４７】
第１ストッパー部材６０は、小径側のパイプ柄３０の前端部に内嵌状態で固着される円柱状の取付け頭部６０Ａと、大径側のパイプ柄３１の内周面に沿って摺動する円柱状の摺動ガイド部６０Ｃと、取付け頭部６０Ａと摺動ガイド部６０Ｃとを偏心位置において繋ぐ偏心軸部６０Ｂとから構成されている。
【００４８】
第２ストッパー部材６１には、第１ストッパー部材６０の偏心軸部６０Ｂに外嵌する偏心軸穴６１Ａが形成され、この偏心軸穴６１Ａの中心を通る直径方向の両側部位のうち、一方の部位において第２ストッパー部材６１が円周方向でＣの字状に分断されているとともに、他方の部位において偏心軸穴６１Ａの内周面から第２ストッパー部材６１の外周面近くまで及ぶ切込み部が形成されている。
第２ストッパー部材６１は、切込み部の形成箇所の薄肉部を支点として拡径側に弾性変形可能に構成されている。そのため、小径側のパイプ柄３０に固着された第１ストッパー部材６０と大径側のパイプ柄３１の内周面に摩擦保持された第２ストッパー部材６１との相対回転操作に伴う偏心軸部６０Ｂと偏心軸穴６１Ａとの偏心回転により、偏心軸部６０Ｂの径方向外方への押圧作用に伴って第２ストッパー部材６１が次第に拡径変形する。これに伴って大径側のパイプ柄３１の内周面と第２ストッパー部材６１の外周面との間での摩擦力が増大し、最終的には大径側のパイプ柄３１に対して伸縮固定可能な摩擦力を付与することができる。
【００４９】
また、第２ストッパー部材６１の自然状態での外径は、大径側のパイプ柄３１の内径よりも少し大に構成されている。そのため、第２ストッパー部材６１は、それの弾性復元力に抗して縮径変形させた状態で大径側のパイプ柄３１内に挿入されるため、第２ストッパー部材６１の外周面と大径側のパイプ柄３１の内周面との間に摩擦力が常に発生している。
【００５０】
〔その他の実施形態〕
（１）上述の第１実施形態では、清掃用基体１の両清掃取付け部１Ａに貼着される第１面ファスナ３として、可撓性の基材の一側面に多数の係合素子群を略直立姿勢で一体成形してある面ファスナ雄材を使用し、両清掃体２の被取付け面２ａに貼着される第２面ファスナ４として、合成繊維フィラメント糸に第１面ファスナ３の係合素子群と係合するループ状やアーチ状等の係合部を形成してある面ファスナ雌材としての不織布を使用した。しかし、本発明は、この実施形態に限定されるものではなく、例えば、上述の実施形態とは逆に、清掃用基体１の両清掃取付け部１Ａに貼着される第１面ファスナ３として、合成繊維フィラメント糸にループ状やアーチ状等の係合部を形成してある面ファスナ雌材としての不織布を使用し、両清掃体２の被取付け面２ａに貼着される第２面ファスナ４として、可撓性の基材の一側面に多数の係合素子群を一体成形してある面ファスナ雄材を使用してもよい。
また、第１面ファスナ３と第２面ファスナ４とを、可撓性の基材の一側面に多数の雄型の係合素子群を一体成形してある面ファスナ雄材と可撓性の基材の一側面に多数の雌型の係合素子群を一体成形してある面ファスナ雌材とから構成してもよい。
要するに、第１面ファスナ３及び第２面ファスナ４を構成する面ファスナ雌材及び面ファスナ雄材としては、従来から種々の形態、機能の面ファスナ雌材及び面ファスナ雄材が存在する。本発明では、何れの面ファスナ雌材及び面ファスナ雄材も好適に使用することができる。
【００５１】
（２）上述の第１実施形態では、第１面ファスナ３の輪郭形状の外縁全体を、第２面ファスナ４の輪郭形状の外縁よりも内方に配置して、第１面ファスナ３の輪郭形状全周の外縁よりも外方に位置する第２面ファスナ４の全周の外縁部分４ａを把持用の指掛け部５に構成したが、第１面ファスナ３の輪郭形状の外縁の一部を、第２面ファスナ４の輪郭形状の外縁よりも内方に配置して、第１面ファスナ３の一部の内方配置の外縁よりも外方に位置する第２面ファスナ４の一部の外縁部分４ａを把持用の指掛け部５に構成してもよい。
【００５２】
（３）上述の第１実施形態では、清掃用基体１の第１面ファスナ３における外縁側面ファスナ部３Ｂの輪郭形状の外縁を、両清掃体２の第２面ファスナ４における外縁側面ファスナ部４Ｂの輪郭形状の外縁よりも内方に配置したが、清掃用基体１の第１面ファスナ３における外縁側面ファスナ部３Ｂの輪郭形状の外縁と、両清掃体２の第２面ファスナ４における外縁側面ファスナ部４Ｂの輪郭形状の外縁とを同一に構成してもよい。
【００５３】
（４）上述の第１実施形態では、第１面ファスナ３の外縁側面ファスナ部３Ｂを、外縁前面側面ファスナ部３Ｂａと外縁横面側面ファスナ部３Ｂｂと外縁後面側面ファスナ部３Ｂｃとから構成したが、この第１面ファスナ３の外縁側面ファスナ部３Ｂを、外縁前面側面ファスナ部３Ｂａと外縁横面側面ファスナ部３Ｂｂとから構成してもよく、さらに、外縁前面側面ファスナ部３Ｂａ又は外縁横面側面ファスナ部３Ｂｂ若しくは外縁後面側面ファスナ部３Ｂｃのいずれか一つから構成してもよい。
【００５４】
（５）上述の第１実施形態では、清掃用基体１における両清掃取付け部１Ａの周縁部１ａを、周縁側ほど薄肉となる先窄まりのテーパー形状に形成したが、清掃用基体１における両清掃取付け部１Ａの全体を同一又は略同一の厚みに構成してもよい。
【００５５】
（６）上述の第１実施形態では、清掃部Ｃの清掃用基体１に対して操作部Ｈの柄Ｈ１を起伏揺動自在に取付けるための柄取付け部Ｍを設けたが、清掃部Ｃの清掃用基体１と操作部Ｈの柄Ｈ１とを、柄Ｈ１に対する清掃用基体１の表裏方向での撓み揺動を許容する弾性連結体で連結してもよい。
【００５６】
（７）上述の第１実施形態では、清掃用基体１の一方の清掃取付け部１Ａに貼着される一方の第１面ファスナ３の中央側面ファスナ部３Ａと、清掃用基体１の他方の清掃取付け部１Ａに貼着される他方の第１面ファスナ３の中央側面ファスナ部３Ａとを、両外縁側面ファスナ部３Ｂのうち、清掃用基体１の周側面１Ｂの前端面１Ｂａ側を被覆する両外縁前面側面ファスナ部３Ｂａをもって一体的に連続形成した。しかしながら、この実施形態に限定されるものではなく、例えば、一方の第１面ファスナ３の中央側面ファスナ部３Ａと他方の第１面ファスナ３の中央側面ファスナ部３Ａとを、周側面１Ｂにおける左右の一方の側端面１Ｂｂ側を被覆する両外縁横面側面ファスナ部３Ｂｂ、又は、周側面１Ｂにおける後端面１Ｂｃ側を被覆する両外縁後面側面ファスナ部３Ｂｃをもって一体的に連続形成してもよい。
また、一方の第１面ファスナ３の中央側面ファスナ部３Ａと他方の第１面ファスナ３の中央側面ファスナ部３Ａとを、両外縁前面側面ファスナ部３Ｂａの一部、又は、両外縁横面側面ファスナ部３Ｂｂの一部、若しくは、両外縁後面側面ファスナ部３Ｂｃの一部をもって一体的に連続形成してもよい。
【００５７】
（８）上述の第１実施形態では、一方の第１面ファスナ３の中央側面ファスナ部３Ａと他方の第１面ファスナ３の中央側面ファスナ部３Ａとを、両外縁前面側面ファスナ部３Ｂａ等の両外縁側面ファスナ部３Ｂの少なくとも一部をもって一体的に連続形成したが、両第１面ファスナ３を別々に製作してもよい。
【符号の説明】
【００５８】
１        清掃用基体
１Ａ      清掃取付け部
１Ｂ      周側面
１ａ      周縁部
２        清掃体
２ａ      被取付け面
３        第１面ファスナ
３Ａ      中央側面ファスナ部
３Ｂ      外縁側面ファスナ部
３Ｂａ    外縁前面側面ファスナ部
３Ｂｂ    外縁横面側面ファスナ部
４        第２面ファスナ
４ａ      外縁部分
５        指掛け部
６        切欠き部
７        突起部
Ｈ        操作部
Ｈ１      柄
Ｍ        柄取付け部
【図１】
2017077375.tif 000003
【図２】
2017077375.tif 000004
【図３】
2017077375.tif 000005
【図４】
2017077375.tif 000006
【図５】
2017077375.tif 000007
【図６】
2017077375.tif 000008
【図７】
2017077375.tif 000009
【図８】
2017077375.tif 000010
【図９】
2017077375.tif 000011
【図１０】
2017077375.tif 000012